(57)【特許請求の範囲】
【請求項１】
２つ以上のＣｏＭＰ（Coordinated  MultiPoint）セルにグループ化される複数のサブセルを含む無線通信ネットワークにおける干渉を低減する方法であって、
各ＣｏＭＰセルは、複数の隣接するサブセルと、当該ＣｏＭＰセルのサブセル内の送信を管理してＣｏＭＰセル内干渉を最小化するように動作可能なコントローラと、を備え、
前記方法は、
第１のＣｏＭＰセル内のユーザ機器（ＵＥ）との間の送信を、第１のＣｏＭＰセルコントローラによりスケジューリングするステップと、
前記第１のＣｏＭＰセルコントローラから隣接する第２のＣｏＭＰセルの第２のＣｏＭＰセルコントローラへ、前記第１のＣｏＭＰセルの境界におけるサブセル内のＵＥとの間のスケジューリングされた送信に関するスケジューリング情報を、当該送信に先立って送信するステップと、
前記第１のＣｏＭＰセルコントローラから受信される前記スケジューリング情報を利用して、前記第１及び前記第２のＣｏＭＰセルの間のＣｏＭＰセル間干渉を最小化するように、前記第２のＣｏＭＰセル内のＵＥとの間の送信を前記第２のＣｏＭＰセルコントローラによりスケジューリングするステップと、
前記第１のＣｏＭＰセルコントローラにおいて、前記第２のＣｏＭＰセルコントローラから、前記第２のＣｏＭＰセルの境界におけるサブセル内のＵＥとの間のスケジューリングされた送信に関するスケジューリング情報を、当該送信に先立って受信するステップと、
前記第２のＣｏＭＰセルコントローラから受信される前記スケジューリング情報を利用して、前記ＣｏＭＰセル間干渉を最小化するように、前記第１のＣｏＭＰセル内のＵＥとの間の送信を前記第１のＣｏＭＰセルコントローラによりスケジューリングするステップと、
を含み、
スケジューリング情報を送信するＣｏＭＰセルコントローラと、当該スケジューリング情報を利用してスケジューリングを行うＣｏＭＰセルコントローラとは、前記第１のＣｏＭＰセル及び前記第２のＣｏＭＰセルを含む複数のＣｏＭＰセルの間でローテーションされる、
方法。
【請求項２】
前記スケジューリング情報は、各境界サブセルにおいていずれかのＵＥとの間で何らかの送信がスケジューリングされているかの標識、ＵＥへのパス利得であって当該ＵＥへの又は当該ＵＥからのスケジューリングされた送信の当該パス利得の推定値、又は予め定義された将来の送信期間の間に生じるようにスケジューリングされた送信に関する情報、を含む、請求項１の方法。
【請求項３】
前記第１のＣｏＭＰセルは、非隣接ＣｏＭＰセルの第１のセットに属し、前記第２のＣｏＭＰセルは、非隣接ＣｏＭＰセルの第２のセットに属し、特定のセット内のいずれかのＣｏＭＰセルからの送信が当該セット内の他のいずれかのＣｏＭＰセルに干渉を与えることのないように、各セットの前記ＣｏＭＰセルは前記ネットワークを通じて散在する、請求項１の方法。
【請求項４】
前記標識は、境界サブセルごとに単一のビットを含む、請求項２の方法。
【請求項５】
前記スケジューリング情報は、ＵＥへのパス利得であって、異なるＵＥへの又は異なるＵＥからのスケジューリングされた送信のパス利得の推定値をさらに含む、請求項２の方法。
【請求項６】
前記スケジューリング情報は、所定の閾値を上回るパス利得の推定値を含み、又は、前記パス利得の推定値は、ｍ×ｎ行列の形式であり、ｍはＵＥを識別するインデックス、ｎはサブセルを識別するインデックスである、請求項５の方法。
【請求項７】
前記第２のＣｏＭＰセルコントローラから受信される前記スケジューリング情報は、前記第１のＣｏＭＰセルの境界におけるサブセル内のＵＥとの間のスケジューリングされた送信に関するスケジューリング情報を前記第１のＣｏＭＰセルコントローラが送信した期間とは別の、予め定義された将来の期間の間に生じるようにスケジューリングされた送信に関する情報を含む、請求項１の方法。
【請求項８】
前記第１のＣｏＭＰセルコントローラによる前記第１のＣｏＭＰセル内のＵＥとの間の送信の前記スケジューリングは、前記第２のＣｏＭＰセルコントローラから受信される前記スケジューリング情報に関連する予め定義された期間の間、当該スケジューリング情報を利用して前記ＣｏＭＰセル間干渉を最小化するように行われる、請求項７の方法。
【請求項９】
ＣｏＭＰ（Coordinated  MultiPoint）セルのサブセル内のユーザ機器（ＵＥ）への無線通信を各々提供する複数のネットワーク送受信機に通信可能に接続されるＣｏＭＰセルコントローラであって、
前記ＣｏＭＰセル内のサブセル間干渉を最小化するように、前記ＣｏＭＰセルのサブセル内のユーザ機器（ＵＥ）との間の送信をスケジューリングするためのスケジューラと、
前記スケジューラは、スケジューリング情報を生成することと、
前記ＣｏＭＰセルの境界におけるサブセル内のＵＥとの間のスケジューリングされた送信に関する前記スケジューラにより生成されるスケジューリング情報を、隣接するＣｏＭＰセルの１つ以上のコントローラへ、当該送信に先立って送信するための通信インタフェースと、
隣接するＣｏＭＰセルの境界におけるサブセル内のＵＥとの間のスケジューリングされた送信に関するスケジューリング情報を、当該隣接するＣｏＭＰセルの１つ以上のコントローラから、当該送信に先立って前記通信インタフェース上で受信するための手段と、
を備え、
前記スケジューラは、前記受信されるスケジューリング情報を利用して、前記隣接するＣｏＭＰセルとの間のＣｏＭＰセル間干渉を最小化するように、前記ＣｏＭＰセルのサブセル内のＵＥとの送信をスケジューリングし、
スケジューリング情報を送信するＣｏＭＰセルコントローラと、当該スケジューリング情報を利用してスケジューリングを行うＣｏＭＰセルコントローラとは、複数のＣｏＭＰセルの間でローテーションされる、
ＣｏＭＰセルコントローラ。
【請求項１０】
前記ローテーションは、所定のプロトコルに従って、予め定義された送信期間ごとに行われる、請求項９のＣｏＭＰセルコントローラ。
【請求項１１】
前記スケジューリング情報は、各境界サブセルにおいていずれかのＵＥとの間で何らかの送信がスケジューリングされているかの標識、又はＵＥへのパス利得であって当該ＵＥへの又は当該ＵＥからのスケジューリングされた送信の当該パス利得の推定値、を含む、請求項９のＣｏＭＰセルコントローラ。
【請求項１２】
前記標識は、境界サブセルごとに単一のビットを含む、請求項１１のＣｏＭＰセルコントローラ。
【請求項１３】
前記スケジューリング情報は、ＵＥへのパス利得であって、異なるＵＥへの又は異なるＵＥからのスケジューリングされた送信のパス利得の推定値、又は、所定の閾値を上回るパス利得の推定値、をさらに含む、請求項１１のＣｏＭＰセルコントローラ。
【請求項１４】
前記パス利得の推定値は、ｍ×ｎ行列の形式であり、ｍはＵＥを識別するインデックス、ｎはサブセルを識別するインデックスである、請求項１３のＣｏＭＰセルコントローラ。
【請求項１５】
ＣｏＭＰ（Coordinated  MultiPoint）セルの間のセル間干渉を最小化するためのセルラ通信ネットワークにおけるシステムであって、
第１のＣｏＭＰセルのサブセル内のユーザ機器（ＵＥ）への無線通信を各々提供する第１の複数のネットワーク送受信機に通信可能に接続される第１のＣｏＭＰセルコントローラと、
前記第１の複数のネットワーク送受信機に隣接する第２の複数のネットワーク送受信機に通信可能に接続される、第２のＣｏＭＰセルの第２のＣｏＭＰセルコントローラと、
を含み、
前記第１及び前記第２のＣｏＭＰセルコントローラは、
それぞれのＣｏＭＰセル内のサブセル間干渉を最小化するように、前記それぞれのＣｏＭＰセルのサブセル内のＵＥとの送信をスケジューリングし、スケジューリング情報を生成するためのスケジューラと、
前記それぞれのＣｏＭＰセルの境界におけるサブセル内のＵＥとの間のスケジューリングされた送信に関する、それぞれの前記ＣｏＭＰセルコントローラの前記スケジューラにより生成されるスケジューリング情報を、それぞれの前記ＣｏＭＰセルコントローラから前記第１及び前記第２のＣｏＭＰセルコントローラの他方へ、当該送信に先立って送信するための通信インタフェースと、
を各々備え、
前記スケジューラは、前記第１及び前記第２のＣｏＭＰセルコントローラの前記他方から受信されるスケジューリング情報を利用して、前記第１のＣｏＭＰセル及び前記第２のＣｏＭＰセルの間のＣｏＭＰセル間干渉を最小化するように、前記スケジューリングを行い、
スケジューリング情報を送信するＣｏＭＰセルコントローラと、受信されるスケジューリング情報を利用してスケジューリングを行うＣｏＭＰセルコントローラとは、前記第１のＣｏＭＰセル及び前記第２のＣｏＭＰセルを含む複数のＣｏＭＰセルの間でローテーションされる、
システム。
【発明の詳細な説明】
【技術分野】
【０００１】
本発明は、一般的に、無線セルラ通信に関し、具体的には、ＣｏＭＰ（Coordinated  MultiPoint）セルの間でのスケジューリング情報の事前の交換によって、セル間干渉を緩和するシステム及び方法に関する。
【背景技術】
【０００２】
無線セルラ通信ネットワークは、ユビキタスに近く、数百万の加入者に移動体の音声及びデータ通信を提供する。セルラネットワークにおいて、固定された送受信機（基地局、ノードＢなど）は、ある地理的エリアあるいはセルの範囲内で複数の加入者に２通りの無線通信を提供する（ここで使用されるところによれば、セクタとの用語はセルと同義である）。時間分割、周波数分割及び符号分割多重、並びにそれらの組合せのような、セル内の無線の干渉を抑圧するいくつかの方法が、当分野で知られている。加えて、周波数の再利用パターンなどのセル間干渉を抑圧する方法も知られている。現代の無線セルラ通信ネットワークにおいて、セル間干渉は、性能の障害の顕著な原因として残されており、データレート、システムキャパシティ及びデリバリされる通信サービスの品質を制限する。
【０００３】
協調型マルチポイント（ＣｏＭＰ：Coordinated  MultiPoint）は、セル間干渉を最小化するための技術である。地理的に隣接する複数のセル−サブセルという−をまとめて、ＣｏＭＰセルが形成される。各ＣｏＭＰセルは、当該ＣｏＭＰセル内のセル間干渉（ここでは、サブセル間干渉という）を最小化するようにその構成要素であるサブセル内の送信を協調させる中央コントローラを有する。ＣｏＭＰセルコントローラは、セル内のユーザ機器（ＵＥ）との間の送信のスケジューリングを協調的に行い、及び／又は信号処理技術を用いて干渉を積極的に抑圧することにより、サブセル間干渉を最小化する。
【０００４】
ＣｏＭＰシステムはサブセル間干渉の最小化において効果的であり得るものの、ＣｏＭＰセル間干渉は、隣接するＣｏＭＰセルの間の結合的なエリアに沿って、アップリンク及びダウンリンクの双方において依然として存在する。図１は、３つの隣接するＣｏＭＰセルに分割されているネットワーク１０を示しており、ＣｏＭＰセルは、ここでは議論の目的のために、赤（Red）のＣｏＭＰセル１２、黄色（Yellow）のＣｏＭＰセル１４及び青（Blue）のＣｏＭＰセル１６として識別されている。各ＣｏＭＰセル１２、１４、１６における境界のサブセルは、網掛け線として描かれている。これら境界のサブセルは、ＣｏＭＰセル１２、１４、１６の間で協調が行われないため、隣接するＣｏＭＰセルの境界のサブセルにおける送信から干渉を受ける可能性がある。実質的には、性能を制限する干渉は、ＣｏＭＰセル１２、１４、１６の境界に向けて単に押し出される。この問題への仮説としての１つの解決策は、全てのサブセルを単一の中央装置に接続し、ネットワーク１０内の全てのセルにわたって同時に送信を協調させ及び／又は干渉を抑圧することであろう。しかしながら、これは、実際上、特に大規模なネットワークにとって実現性に乏しい。
【発明の概要】
【０００５】
ここで説明され請求される１つ以上の実施形態によれば、ＣｏＭＰセルの１つのセット内のＵＥとの間のスケジューリングされるダウンリンク及びアップリンク送信に関するスケジューリング情報が、当該送信に先立って、隣接するＣｏＭＰセルの１つ以上のセット内のコントローラへ送信される。同じセット内のＣｏＭＰセルは、それらが地理的に隔離されており互いに干渉を生じないため、独立してＵＥをスケジューリングすることができる。ＣｏＭＰセルの第１のセットは、隣接するＣｏＭＰセルからのＣｏＭＰセル間干渉が存在しないという前提の下で、ＣｏＭＰセル内干渉を最小化するように、送信をスケジューリングし、隣接するＣｏＭＰセルのセットへスケジューリング情報を送信する。そして、当該スケジューリング情報を受信する第２のＣｏＭＰセルのセットは、ＣｏＭＰセルの後続のセットからのＣｏＭＰセル間干渉が存在しないという前提の下で、内部のＣｏＭＰセル内干渉及びＣｏＭＰセルの第１のセットとのＣｏＭＰセル間干渉とを最小化するように、送信をスケジューリングする。ＣｏＭＰセルの第２のセットは、ＣｏＭＰセルの第３のセットなどへスケジューリング情報を送信する。スケジューリング情報は、スケジューリングされた送信に関する様々な情報を含んでよい。
【０００６】
１つの実施形態は、無線通信ネットワーク内の干渉を低減する方法に関する。当該無線通信ネットワークは複数のサブセルを含み、サブセルは２つ以上のＣｏＭＰセルへグループ化される。各ＣｏＭＰセルは、ＣｏＭＰセル内干渉を最小化するように、ＣｏＭＰセルを含むサブセル内の送信を管理するよう動作可能なコントローラを含む。第１のＣｏＭＰセル内のＵＥとの間の送信は、第１のＣｏＭＰセルコントローラによりスケジューリングされる。第１のＣｏＭＰセルの境界におけるサブセル内のＵＥとの間のスケジューリングされた送信に関するスケジューリング情報は、第１のＣｏＭＰセルコントローラから隣接する第２のＣｏＭＰセルの第２のコントローラへ、当該送信に先立って送信される。
【図面の簡単な説明】
【０００７】
【図１】各々の境界サブセルにおける干渉を示す、３つのＣｏＭＰセルの機能図である。
【図２Ａ】隣接する青（Ｂ）及び黄色（Ｙ）のＣｏＭＰセルへ情報を送信する赤（Ｒ）のＣｏＭＰセルを示している。
【図２Ｂ】隣接する黄色（Ｙ）のＣｏＭＰセルへ情報を送信する青（Ｂ）のＣｏＭＰセルを示している。
【図３】ローテーションされる順序での各送信期間の開始時のＣｏＭＰセル間通信を伴う、スケジューリングされる送信の所定の連続的な期間の論理図である。
【図４】赤のＣｏＭＰセルの境界セルにおけるスケジューリングされた送信アクティビティを表現する、単一ビットのスケジューリング情報を示している。
【図５】ＣｏＭＰセルによりグループ化される、パス利得の代表的な行列である。
【図６】ＣｏＭＰセル間干渉の低減方法のフロー図である。
【図７】シミュレーション結果のグラフである。
【発明を実施するための形態】
【０００８】
図２は、ネットワーク１０のより大きい外観を示している。ネットワーク１０は、複数のサブセル（図示せず）を各々含む複数のＣｏＭＰセルに分割される。ＣｏＭＰセルは、赤（Ｒ）、青（Ｂ）及び黄色（Ｙ）という色のＣｏＭＰセル群により示される複数のセットにグループ化される。ＣｏＭＰセルのセットのグループ化は、従来のセルラネットワークの周波数再利用パターンと同様、各セットの全てのＣｏＭＰセルが地理的に隔離されるように、地理的に散在するように行われる。この隔離によって、ＣｏＭＰセルの各セットあるいは各色内のＵＥへの送信は、互いに干渉を生じさせないことから、独立してスケジューリングされ得る。
【０００９】
ＣｏＭＰセルの１つのセット、例えば図２における赤のセル、から話を始めると、赤のＣｏＭＰセル内のＵＥへの送信は、隣接する青及び黄色のＣｏＭＰセル内の境界サブセルが干渉を生じさせないという前提の下で、サブセル間干渉を最小化するようにスケジューリングされる。そして、赤のＣｏＭＰセルコントローラは、図２Ａにおいて外へ向かう矢印により示されているように、隣接する青及び黄色のＣｏＭＰセル内のコントローラへ、スケジューリング情報を送信する。ここでより充実して説明される当該スケジューリング情報は、受信側のＣｏＭＰセル（例えば、青及び黄色）がそれらのサブセル内のＵＥへの送信を所望の干渉レベルを超過することなくスケジューリングすることを支援する。
【００１０】
そして、例えば、赤のＣｏＭＰセルコントローラから当該スケジューリング情報を受信すると、一例として青のＣｏＭＰセルコントローラは、サブセル間干渉を最小化し、加えて、黄色のＣｏＭＰセル内のＵＥは干渉を生じさせないという前提の下、隣接する赤のＣｏＭＰセルの境界サブセル内でスケジューリングされたＵＥへの干渉を回避するように、当該スケジューリング情報を用いて、自身のサブセル内のＵＥへの送信をスケジューリングする。そして、青のＣｏＭＰセルコントローラは、図２Ｂに示されているように、隣接する黄色のＣｏＭＰセルへスケジューリング情報を送信する。
【００１１】
青のＣｏＭＰセルコントローラからスケジューリング情報を受信すると、赤のＣｏＭＰセルコントローラからスケジューリング情報を既に受信している黄色のＣｏＭＰセルコントローラは、サブセル間干渉を最小化し、加えて、隣接する赤及び青のＣｏＭＰセルの境界サブセル内で送信信号を受信するようにスケジューリングされたＵＥへの干渉を回避するように、スケジューリング情報のセットの双方を用いて、自身のサブセル内のＵＥへの送信をスケジューリングする。
【００１２】
ここでは（赤１２、黄色１４及び青１６により示される）ＣｏＭＰセルの３つのセットのみを用いて本発明の実施形態を説明しているが、当業者であれば、いかなる数のセットも定義され得ることを容易に理解するであろう。３つよりも多くのケースでは、処理は継続し、即ち、上述した例において、赤及び青のＣｏＭＰセル内のＵＥへの干渉を回避するように自身のＵＥをスケジューリングした後、黄色のＣｏＭＰセルコントローラは、次のセット、例えば緑のＣｏＭＰセルコントローラへ、スケジューリング情報を送信するであろう。そして、緑のＣｏＭＰセルコントローラは、赤、青及び黄色のセルへの干渉を回避するように自身のサブセル内のＵＥをスケジューリングなどするであろう。
【００１３】
全てのスケジューリングは、サブセル内のＵＥへの無線送信に先立って完了されなければならない。それに応じて、スケジューリング情報の全ての送信は、全てのダウンストリームのスケジューリング（適用可能であるならば、後に続くスケジューリング情報の送信及びスケジューリング）を可能とし、また無線送信の前に完了するように、無線送信に十分に先立って完了されなければならない。多くの無線セルラ通信システムのプロトコルは、周期的な送信期間を定義しており、それはフレーム若しくはサブフレーム、タイムスロット又は送信時間間隔（ＴＴＩ）などとして知られ得る。そうしたシステムにおいて、全てのスケジューリング情報の送信は、最後のＣｏＭＰセルのセット（例えば、上述した例における黄色）がそのスケジューリングを完了できるように、送信期間に十分に先立って完了されるべきである。
【００１４】
公平性のために、スケジューリング情報の送信の順序は、所定の方式に従ってＣｏＭＰセルのセットの間でローテーションされてよい。図３は、赤、黄色及び青のＣｏＭＰセルの間のスケジューリング情報の送信の優先度の、ラウンドロビン型のローテーションを示している。本発明の範囲内の他のローテーション方式は、その時点の（current）又は直近の（recent）過去のスケジューリングアクティビティに基づくローテーションを含む（即ち、高いトラフィック負荷を有するＣｏＭＰセルのセットが第１のスケジューリング優先度を有する）。さらに、優先度ベースのローテーション方式は、いくつかの無線ネットワークプロトコルの高速パケットダウンリンクチャネルにおいて利用されている比例公平（proportional  fairness）方式におけるものなどの公平性コンポーネントと組合されてもよい。一般化すると、本発明の範囲内で、複数のＣｏＭＰセルのセットの間のスケジューリング情報の送信の優先度は、所望のネットワーク性能の目標を達成するいかなるスケジューリングプロトコルに従って決定されてもよい。当然ながら、そうしたプロトコルは、３つのＣｏＭＰセルのセットのみでの動作に限定されない。
【００１５】
ＣｏＭＰセルの異なるセットの間で受け渡されるスケジューリング情報は、受信側のＣｏＭＰセルがそれらのサブセル内のＵＥとの間の送信を所望の干渉レベルを超過することなくスケジューリングすることを支援するであろう。
【００１６】
１つの実施形態において、スケジューリング情報は、あるフレームなどの予め定義された期間について、境界サブセル内で何らかの送信がスケジューリングされているかの標識（indicator）を簡易に含む。図４は、赤のＣｏＭＰセル１２のコントローラにより隣接する黄色及び青のＣｏＭＰセル１４、１６内のコントローラへ送信されるスケジューリング情報を示している。当該標識は、例えば、ゼロが送信無しを識別し、１が関連するサブセル内で１つ以上の送信がスケジューリングされていることを識別する、単一の２値のビットのように単純なものであってよい。これらアクティブ／非アクティブ標識によって、黄色及び青のＣｏＭＰセル１４、１６は、赤のＣｏＭＰセル１２内のＵＥへの干渉を発生させることを回避するように、それらのＵＥへの送信をスケジューリングすることができる。
【００１７】
１つの実施形態において、内側のサブセル（即ち、非境界サブセル）に関するスケジューリング情報は、それらが黄色及び青のＣｏＭＰセル１４、１６内の送信にあまり干渉を生じさせないため、通信されなくてよい。他の実施形態において、例えば、境界サブセルが小さい場合、又はその他の理由で黄色又は青のＣｏＭＰセル１４、１６内のＵＥへの送信が赤のＣｏＭＰセル１２の非境界サブセル内のＵＥへの送信から干渉を受ける可能性がある場合には、赤のＣｏＭＰセル１２のコントローラは、他のＣｏＭＰセル１４、１６へ転送されるスケジューリング情報の中に内側のサブセルを含めてもよい。
【００１８】
図４の実施形態では、スケジューリング情報として転送されるべきデータ量は最小化されるが、受信側のＣｏＭＰセル１４、１６は、ブロードキャスト側のＣｏＭＰセル１２内の送信について閾値的な知識しか有しない。
【００１９】
他の実施形態において、例えば赤のＣｏＭＰセル１２の境界サブセル内のＵＥへの送信に関するより高コストな情報が黄色及び青のＣｏＭＰセル１４、１６へ送信され、それにより、受信側のＣｏＭＰセル１４、１６がより高度なＵＥ送信についての決定を行いつつ、やはりＣｏＭＰセル間干渉を緩和することが可能となる。１つの実施形態では、当該スケジューリング情報は、１つ以上のＵＥ送信に関連付けられるパス利得を含む。ＣｏＭＰセルの境界サブセルの全てにおける送信についてのパス利得の利得行列は、次の通りである：
【００２０】
【数１】
0005688079.tif 000002
【００２１】
ここで、ｇｍｎはｍ番目のＵＥとｎ番目のサブセルとの間のパス利得である。当然ながら、適切な環境内では、行列Ｇは、ＣｏＭＰセルの非境界サブセル内の送信に関連付けられる利得成分を含むように拡張されてもよい。
【００２２】
図５は、ＣｏＭＰセルによりグループ化される利得行列の代表的な例を示している。ダウンリンクについては、ＵＥが経験する干渉は、その行の中のアクティブな成分の合計からそのサービングサブセルに対応する要素を差し引いたものとなる。一方、アップリンクについては、干渉は列のインデックスに沿って合計される。円で囲まれた成分は、スケジューリングされたＵＥとそのサービングサブセルとの間の対応を示している。優勢な（dominant）パス利得は大文字のＧで表されており、小文字のｇは非常に小さい利得を示す。サブセルは連続的に付番されている（即ち、サブセルは各ＣｏＭＰセル内で付番し直されない）。
【００２３】
赤のＣｏＭＰセル１２がダウンリンク上でそのＵＥをスケジューリングし、隣接する青のＣｏＭＰセル１６へスケジューリング情報を受け渡さなければならないケースを検討されたい。赤のＣｏＭＰセル１２は、サブセル１内のＵＥ２及びサブセル２内のＵＥ４への送信をスケジューリングしたものとする。赤のＣｏＭＰセル１２は、青のＣｏＭＰセル１６がこれら２つのＵＥへの干渉を生じさせることを回避できるように、そのスケジューリング情報内に利得成分｛ｇ２１，ｇ２２，ｇ４１，ｇ４２｝を含める必要がある。ｇ２２及びｇ４１がそれぞれｇ２１及びｇ４２よりも相当に小さければ、それらは省略されてもよい。
【００２４】
加えて、赤のＣｏＭＰセル１２は、そのスケジューリング情報内に利得成分｛ｇ６１，ｇ７１，ｇ８１，ｇ９１｝及び｛ｇ６２，ｇ７２，ｇ８２，ｇ９２｝も含める必要がある。これらは、赤のＣｏＭＰセルのサブセル１及び２内のＵＥへの送信によりそれぞれ引き起こされる青のＣｏＭＰセルのＵＥへの推定されるパス利得である。この情報は、それによって青のＣｏＭＰセル１６が自身のサブセル内の送信をスケジューリングすることを可能にする。当然ながら、含められなければならないのは優勢な成分｛ｇ６１，ｇ７２｝のみである。
【００２５】
パス利得は、ゆっくりと変化する傾向があり、よって予め定義される送信期間（例えばフレーム）に先立って送信されるスケジューリング情報には必ずしも含められなくてよい。一方、図４の実施形態の観点で説明したような送信のスケジューリングは、フレームごとに変化する。送信のスケジューリングは、ＣｏＭＰセル１２、１４、１６の間で送信されるスケジューリング情報に常に含められるべきである。
【００２６】
図６は、ＣｏＭＰセルコントローラにより実行される、無線通信ネットワーク１０内の干渉を低減する方法１００を示している。ある所定の送信期間（例えばフレーム）について、ＣｏＭＰセルコントローラがスケジューリング情報の転送における第１の優先度を有しなければ、方法１００は、ＵＥとの間のいずれの送信にも先立って、ブロック１０２において開始し、ＣｏＭＰセルコントローラは、１つ以上の隣接するＣｏＭＰセルからスケジューリング情報を受信する。そして、ブロック１０４において−あるいは、ＣｏＭＰセルコントローラがこの送信期間についてスケジューリング情報の転送における第１の優先度を有する場合には最初にブロック１０４において−、ＣｏＭＰセルコントローラは、サブセル間干渉を回避し又は最小化するように、自身のＣｏＭＰセル内のＵＥとの間の送信をスケジューリングする。少なくとも１つの隣接するＣｏＭＰセルからスケジューリング情報が受信された（ブロック１０２）場合には、コントローラは、スケジューリング情報の受信元のＣｏＭＰセルとのＣｏＭＰセル間干渉をも回避し又は最小化するように、送信をスケジューリングする。いずれのケースでも、ＣｏＭＰセルコントローラは、スケジューリング情報を受信していない隣接するＣｏＭＰセルからの干渉はないであろうということを前提とする。
【００２７】
この送信期間について、ＣｏＭＰセルコントローラは、スケジューリング情報を最後に受信するのでなければ、ブロック１０６において、ＵＥとの間のいかなる送信にも先立って、ダウンストリームの隣接するＣｏＭＰセルへ自身のスケジューリング情報を送信する。そして、サブセル送受信機は、スケジューリングされた通りに、それらのＵＥと通信する。予め定義される次の送信機会において（ブロック１０８）、各ＣｏＭＰセルは、ブロック１０４（ブロック１１０）において実行されたスケジューリングに従って、そのＵＥとの間で信号の送信を行う。そして、ＣｏＭＰセルのセットの間の優先度は変更されてよく（ブロック１１２）、本方法は繰り返される。新たな送信期間について、ＣｏＭＰセルコントローラがスケジューリング情報の送信において最初の又は最後の優先度を有するようになった場合、それぞれブロック１０２又は１０６が省略されてよい。
【００２８】
１つのＣｏＭＰセルから他へスケジューリング情報を逐次的に送信することにより、受信側のＣｏＭＰセルが当該スケジューリング情報を用いて自身のＵＥへの送信をスケジューリングすることで、ＣｏＭＰセル間干渉は大幅に低減され得る。干渉の低減は、理論的には、中央ネットワークコントローラもネットワーク内の各ＣｏＭＰセルとのリアルタイムの通信も要することなく、ネットワークワイドな送信の協調によってほぼ達成され得る。ＣｏＭＰセルの間で交換されるスケジューリング情報は限られており、いくつかの実施形態では最小化されている。
【００２９】
図７は、図２に示されているようにモデル化されるネットワーク１０のシステムシミュレーションの結果をグラフ化している。各ＣｏＭＰセルは、図１に示されているように、２１個のサブセルを含む。３つのＣｏＭＰセル１２、１４、１６の全体として、無限でありボーダレスなネットワーク１０がエミュレートされている。平均で、各サブセルにはバッファをデータで満たされた１０個のＵＥが存在する。図７は、５パーセンタイル（5th  percentile）のユーザのデータレートを、ＣｏＭＰセルごとの平均スループットに対してプロットする形でグラフ化している。
【００３０】
三角によりマーク付けされた曲線は、各ＣｏＭＰセル１２、１４、１６が自身のＵＥを独立してスケジューリングするという、ベースラインの解決策に対応しており、ＣｏＭＰセル間干渉を引き起こしている。円によりマーク付けされた曲線は、単一の意思決定用の中央コントローラがネットワーク１０内の全てのサブセルの間で送信を協調させるという、理論的に最適な（しかし非現実的な）解決策である。スケジューリング情報が優勢なパス利得を含むという本発明の第２の実施形態についての結果を示す曲線は、四角によりマーク付けされている。この曲線は、最適な解決策と比較して小さな劣化しか示していない。
【００３１】
ここで使用される“スケジューリング情報”という用語は、１つ以上のネットワーク送受信機及び１つ以上のＵＥの間でスケジューリングされる無線通信の送信に関するいかなる情報をも指している。スケジューリング情報は、そうした送信のタイミングに関連し、及び／又は、１つ以上のそうした送信に関連付けられるパス利得などの他の情報を含んでもよい。スケジューリング情報の粒度は、ＵＥごとからサブセルごとまでの間で可変であってよく、ＣｏＭＰセルごと又は本発明の実施形態に従った干渉の緩和のために有益な他のいかなるグループごとであってもよい。
【００３２】
本発明は、当然ながら、本発明の本質的特徴から離れることなく、ここで具体的に説明したものとは異なる形で実行されてもよい。提示された実施形態は、全ての観点で例示的であって、限定的なものであると見なされるべきではなく、添付の特許請求の範囲の意義及び均等の範囲内の全ての変更は、ここに包含されるものと意図される。
【図１】
0005688079.tif 000003
【図２Ａ】
0005688079.tif 000004
【図２Ｂ】
0005688079.tif 000005
【図３】
0005688079.tif 000006
【図４】
0005688079.tif 000007
【図５】
0005688079.tif 000008
【図６】
0005688079.tif 000009
【図７】
0005688079.tif 000010